(57)【要約】      （修正有）【課題】冷却と表示の視認性の両立を実現するため、排気口を覆わないように表示部を配置した撮像機器を提供する。【解決手段】複数の画像表示部収納位置があり、一つの収納面に排気口２３があり、画像表示部２１は開閉と回動が可能で、回動軸Ｘが画像表示部中心からずれている。画像表示部２１の回動軸Ｘの位置を上側に配置することで、排気口側に収納した際でも排気口２３を塞がないことが可能となる。【選択図】図１２
2016090979.tif 000002
【特許請求の範囲】
【請求項１】
本体に対して回動可能な表示部を備え、
本体には前記表示部に対して、第一の収納面、第二の収納面を有し、
第一の収納面と第二の収納面は隣接しており、
前記隣接部の近傍には、ヒンジ機構によって本体と接続された表示部を備え、
前記ヒンジ機構は鉛直方向に回動可能な第一の軸と第一の軸と垂直に回動可能な第二の軸を備え、
前記第一の収納面に表示部を収納した状態において、前記第二の軸の軸中心は表示部中心の上側に位置しており、
第二の収納面にはレンズ光軸方向からみて円弧状をしており、
前記円弧形状には内部の熱を冷却ファンによって排出する為の排出口を備えており、
前記複数穴は斜め下方向を向いており、
さらにヒンジ機構の前記第二の軸の軸中心は前記円弧の頂点より上方に有ることを特徴とする撮像機器。
【請求項２】
第一の収納面を背面とし、第二の収納面を左右いずれかの側面であり、第一の収納面に表示部を収納した際には表示画面を背面側に露出され、第二の収納面に回動した、かつ第二の回動軸中心に表示部を１８０度回転した際に大部分の排出口が露出することを特徴とする請求項１に記載の撮像機器。
【発明の詳細な説明】
【技術分野】
【０００１】
本発明は、冷却用ファンを内蔵した、利便性と放熱に優れた撮像機器に関する。
【背景技術】
【０００２】
従来の撮像装置には、本体背面の上側に回動軸を備えた画像表示部を備え、さらに本体背面は撮像基板が露出する開口部を備え、画像表示部を回動し背面から離間することで撮像素子の放熱を図る発明が提案されている（特許文献１）。
【先行技術文献】
【特許文献】
【０００３】
【特許文献１】特開２００６−３１７７１０号公報
【発明の概要】
【発明が解決しようとする課題】
【０００４】
しかしながら、特許文献１では、画像表示部を背面に収納した状態では開口を塞いでしまうため、充分な放熱が図れないことがあった。
【課題を解決するための手段】
【０００５】
本発明の撮像機器は、本体に対して回動可能な表示部を備え、本体には前記表示部に対して、第一の収納面、第二の収納面を有し、第一の収納面と第二の収納面は隣接しており、前記隣接部の近傍には、ヒンジ機構によって本体と接続された表示部を備え、前記ヒンジ機構は鉛直方向に回動可能な第一の軸と第一の軸と垂直に回動可能な第二の軸を備え、前記第一の収納面に表示部を収納した状態において、前記第二の軸の軸中心は表示部中心の上側に位置しており、第二の収納面にはレンズ光軸方向からみて円弧状をしており、前記円弧形状には内部の熱を冷却ファンによって排出する為の排出口を備えており、前記複数穴は斜め下方向を向いており、さらにヒンジ機構の前記第二の軸の軸中心は前記円弧の頂点より上方に有ることを特徴とする。
【発明の効果】
【０００６】
本発明によれば、冷却ファンを備え、側面に排出口を備え、かつ複数の収納面を有することで撮影者がいろいろな角度から表示部を確認することが可能である。収納面と排出口が同一面で有るにもかかわらず、排出口を備えた面に収納した際にも表示部で排出口を覆うことを回避できるので、冷却と表示の視認性の両立を実現している。
【図面の簡単な説明】
【０００７】
【図１】本発明実施例の撮像装置の外観を示した前方斜視図。
【図２】本発明実施例の撮像装置の外観を示した後方斜視図。
【図３】本発明実施例の撮像装置の制御図。
【図４】本発明実施例の撮像装置の分解斜視図。
【図５】本発明実施例のセンサー部の断面図。
【図６】本発明実施例のセンサー部の分解図。
【図７】本発明実施例のダクト周辺の分解斜視図。
【図８】本発明実施例のダクト周辺の断面図。
【図９】本発明実施例のファンユニットの斜視図。
【図１０】本発明実施例のファンユニットの分解斜視図。
【図１１】本発明実施例のダクトユニットの断面図。
【図１２】本発明実施例の撮像機器の第４の状態の断面図。
【図１３】本発明実施例の撮像機器の第1の状態の背面斜視図。
【図１４】本発明実施例の撮像機器の第４の状態の背面斜視図。
【図１５】本発明実施例のヒンジユニットの斜視図。
【図１６】本発明実施例の撮像機器の外観を示した前方斜視図。
【図１７】本発明実施例の撮像機器の第３の状態の上面図。
【図１８】本発明実施例の撮像機器の第３の状態の背面斜視図。
【図１９】本発明実施例の撮像機器の第２の状態の前方斜視図。
【発明を実施するための形態】
【０００８】
以下、本発明に掛かる撮像装置の好ましい形態について詳述する。説明においては被撮影者側を前方とし、撮影者側を後方とする。また、左右に関しては被撮影者から見て右側をＲ側、左側をＬ側とする。なお、本発明の関係する部分を中心に説明を行い、発明と直接関連しない部分は省略している。
【０００９】
≪外観説明≫
図１は本発明の撮像装置の外観を示した斜視図である。本体１には交換可能なレンズ部１１が取りついている。図１６にレンズ部１１を取り外した状態の斜視図を示す。図２には後方からの斜視図を示す。本体前面には円環状のマウント部１２を備えている。撮影時にはレンズ部１１はマウント部１２の図示しない係止部にて略同心で着設固定される。本体１の前面上部にはレンズ部１１を挟んで左右にマイクロフォン１６を備えている。本体１のＲ側には縦に並んだ複数の吸気口２２と、後方下部には開閉可能な電池蓋２４を備えている。
【００１０】
吸気Ａは吸気口２２から吸い込まれ、排気ＢとしてＬ側の排気口２３から排出される。排気口２３はＬ側側面に縦に並んだ複数の開口部である。Ｌ側側面の排気口２３が配設された面は円弧状に突出している。本体１のL側と背面の稜部に沿った回動軸Ｙで回動が可能な画像表示部２１を設け、該画像表示部２１の一面にはタッチパネル機能付きのスクリーン２１０を備えており、画像の確認と、各種設定操作が可能になっている。本体１の上面には録画の開始及び停止を行うトリガーボタン１３と画角のレンズのズーム操作を行うズームレバー１５を備えている。また本体１と上面Ｒ側の斜面には電源のＯＮ/ＯＦＦを操作する電源ボタン１７を備える。
【００１１】
≪動作制御説明≫
図３は本発明の本体１の動作制御の構成を示すブロック図である。本体１はフォーカス及びズーム等の光学制御系を含む光学レンズ群及び絞りからなるレンズ部１１、ＣＣＤなどの撮像電気部品を含むメイン撮像部５０２、カメラ信号処理部５０３、圧縮伸張処理部５０４、スクリーン２１０、記録再生処理部５０６、メモリーカード５１９を制御するカード制御部５０７、大容量内蔵メモリー５２０を制御する大容量内部メモリー制御部５０８、音声信号処理部５１０、メモリー５１１、メモリー制御部５１２、操作部５１４、外部装置５２１との接続で使うデジタルＩ/Ｆ５１５、外部装置５２２との接続を行う入出力部５１６、ＧＰＳ受信部５２４、ＧＰＳ信号処理部５２５、電源制御部５１７、バッテリー５２３、さらに本体の冷却用にファン部８５０を備えている。また、各機能ブロックはそれぞれデータバス５１８を介して互いにデータ通信可能に接続されている。
【００１２】
このような本体１においてメモリー５１１はプログラム記憶領域とデータ作業領域を有し、データバス５１８を介して各機能ブロックでタイムシェアリングして使用され、メモリー制御部５１２により制御及び管理されている。ＣＰＵ５１３は所定のプログラムを実行すること等により、本体１全体を統括制御する中央演算処理回路である。操作部５１４は前記タッチパネル付きのスクリーン２１０や電源ボタン１７及びトリガーボタン１３等を含んでいる。
【００１３】
前述したが、電源ボタン１７は押圧操作することで電源のＯＮ/ＯＦＦを行う。トリガーボタン１３は押圧操作することで動画撮影のスタート/ストップを行う事が可能である。その他の操作に関してはタッチパネル付きスクリーン２１０で行う。
【００１４】
このように前記操作部５１４はユーザーからのキー操作などに基づいて、ＣＰＵ５１３に対して動作指示する機能を有する。デジタルＩ/Ｆ５１５は例えば図示しないＵＳＢ等の規格に従い外部装置５２１と信号を授受する。メモリーカード５１９はＳＤカードやコンパクトフラッシュ（登録商標）等の脱着式のフラッシュメモリーであり、撮影データ及び音声データが記録される。
【００１５】
電源制御部５１７はバッテリー検出回路、ＤＣ−ＤＣコンバータ、通電するブロックを切り替えるスイッチ回路等により構成されており、バッテリー５２３の装着の有無、電池の種類、電池残量の検出を行う。バッテリー５２３はリチウムイオン等であり、本体１に電源を供給する。
【００１６】
ＧＰＳ受信部５２４はＧＰＳ衛星から位置と時間のデータを取得する。このデータは、ＧＰＳ信号処理部５２５にて処理され、ＧＰＳ受信部５２４の位置やその位置における時刻を算出する。この本体１では算出した位置情報や時刻情報を画像データとともに大容量内蔵メモリー５２０またはメモリーカード５１９に書き込む。再生時には、この位置情報や時刻情報を参照することができ、データや記憶の整理に利用できる。
【００１７】
次に本体１の撮影動作及び記録動作、再生動作について説明する。例えば操作部５１４により撮影動作、記録動作が指示された場合、被写体からの光はレンズ部１１により所定の明るさ、画角、及びフォーカス等が制御された光学信号となってメイン撮像部５０２に対して入力される。メイン撮像部５０２は入力光学信号を電気信号に変換し、カメラ信号処理部５０３に出力する。カメラ信号処理部５０３はこの電気信号をデジタル画像信号に変換する。そしてこの画像信号に対して、色分離、階調補正、及びホワイトバランス調整などの信号処理を施したのち出力する。
【００１８】
音声信号処理部５１０はマイクロフォン１６より入力された音声信号を所定レベルにゲインコントロールしてデジタル化することで、音声データとして出力する。圧縮伸張処理部５０４はカメラ信号処理部５０３から出力された画像データ及び音声信号処理部５１０から出力された音声データを所定の圧縮符号化方式により圧縮符号化する。圧縮伸張処理部５０４で処理された圧縮符号化対象の撮影データは画像表示部２１に表示され必要に応じて本体１の動作状況も表示する。
【００１９】
記録再生処理部５０６は圧縮伸張処理部５０４で得られた圧縮符号化後のデータに対して、エラー訂正符号化処理や変調処理等を施し、さらに同期、ＩＤ、ＧＰＳ受信部５２４及びＧＰＳ信号処理部５２５から算出した位置情報や時刻情報などのデータを付加して記録に適した形態に変換した後、大容量内蔵メモリー５２０あるいはメモリーカード５１９等の記録媒体に記録する。この際、大容量内部メモリー制御部５０８は大容量内蔵メモリー５２０の記録制御を、カード制御部５０７はメモリーカード５１９の記録制御を行う。
【００２０】
一方、操作部５１４により再生動作が指示された場合、記録再生処理部５０６は、大容量内蔵メモリー５２０またはメモリーカード５１９から読み出したデータから元のデジタルデータを検出し、エラー訂正及び復調等の処理を施す。また、ＰＬＬ回路によりこの再生データに同期したクロックを生成する。圧縮伸張処理部５０４は、記録再生処理部５０６より出力されたデータに対して、所定の圧縮符号化方式に対応した伸張処理を施し、圧縮符号化前の撮影データ及び音声データを取得する。画像表示部２１は圧縮伸張処理部５０４で得られた再生データを表示する。
【００２１】
また、操作部５１４によりデジタルＩ/Ｆ５１５からの入力データを記録する指示があった場合、ＣＰＵ５１３はデジタルＩ/Ｆ５１５により、外部装置５２１からの画像データあるいは音声データをデジタル信号の状態で入力し、記録再生処理部５０６に送る。この際、外部装置５２１からの画像データ、音声データはすでに符号化されているものとし、記録再生処理部５０６は前述のようにこの入力データに対して記録に必要な処理を施して大容量内蔵メモリー５２０やメモリーカード５１９などの記録媒体に記録する。
【００２２】
また、操作部５１４により、入出力部５１６からの入力信号を記録する指示があった場合、ＣＰＵ５１３は入出力部５１６を制御し、外部装置５２２から出力された画像、音声信号を入力する。入出力部５１６は外部装置５２２から出力された画像、音声信号をデジタルデータに変換してメモリー５１１に出力する。ＣＰＵ５１３はこのメモリー５１１に記憶された画像、音声データを圧縮伸張処理部５０４に出力して圧縮符号化し、記録再生処理部５０６に送る。記録再生処理部５０６は前述のようにこの符号化されたデータに対して記録に必要な処理を施して大容量内蔵メモリー５２０やメモリーカード５１９などの記録媒体に記録する。また、電源をＯＮにすると、ファン部８５０は駆動を開始して、ダクト部８００に給排気を行う。
【００２３】
≪内部の概略説明≫
図４に本体内部の概略を示す。本体の前側には前述のマウント部１２を備えた、前面カバー３１があり、前記前面カバー３１と背面カバー３２の間には前方からシャーシ３３、センサーユニット７００、制御基板３４、ダクト部８００の順で配置され、センサーユニット７００は図示しないねじを用いてシャーシ３３に固定されており、該シャーシ３３は前記前面カバー３１に固定されている。また、制御基板３４、ダクト部８００それぞれが図示しないねじによって背面カバー３２に固定されている。
【００２４】
≪センサーユニットの構成説明≫
センサーユニット７００の構成を図５，図６で示す。図５はセンサーユニット７００の断面図である。図６はセンサーユニット７００の分解斜視図である。センサーユニット７００は前側からセンサー７１０、センサー基板７２０、センサープレート７３０の順で配置している。センサー７１０には外周に端子足部７１２を備え、前記センサー基板７２０に半田にて実装され、前述したメイン撮像部５０２となる。該センサー基板７２０はセンサー７１０のセンサー底部７１１が露出する角穴７２１を備え、センサー７１０が実装されたときセンサー底部７１１が露出する。
【００２５】
センサープレート７３０は金属板金もしくは金属のダイキャストで作成され、中央付近が大きく前方に張り出した形状の凸部７３１を有している。センサー底部７１１は前記凸部７３１の前面と接着固定され、センサーユニット７００となる。センサー基板７２０は前述のカメラ信号処理部５０３を含んでいる。
【００２６】
≪発熱と放熱構造の説明≫
図７に制御基板３４とダクト部８００の分解図を示す。ダクト部８００は、扁平な箱形状を有するダクト前カバー８１０と同様に扁平な箱形状を有するダクト後ろカバー８６０がファン部８５０を挟み込む形で内包する。図７に示すようにダクト前カバー８１０のＲ側の側面には矩形状のリブで壁８１１を形成した吸気開口部８１２を備えている。前記吸気開口部８１２の対向面は排気開口部８１７を備えている。ダクト前カバー８１０の内側には吸気Ａから排気Ｂの流れに沿って、複数の放熱リブ８１３が配設されている。
【００２７】
放熱リブ８１３の下側のリブの数本は、ファン中心部に近づくに従い、ファン中心方向に緩やかなカーブを描いている。これは後述するファン吸気穴８５２に効率よく空気を流すためである。ダクト後ろカバー８６０はレンズ側からの投影外形形状は前記ダクト前カバー８１０から壁８１１を除いた形状と略同形状となっている。前記放熱リブ８１３と略平行な複数のリブ８６３が配設されている。ダクト前カバー８１０とダクト後ろカバー８６０は密嵌し、ファン部８５０を内包する。本体１に電源をいれると制御基板３４に実装された電気部品が発熱する。
【００２８】
図８には制御基板３４とダクト部８００の断面図を示す。ダクト前カバー８１０の前面は制御基板３４上の電気部品類と接触する。ダクト前カバーの材質は金属等の熱伝導率の高い材料であり電気部品の熱は放熱リブ８１３を含むダクト前カバー８１０全体に伝熱される。図９にファン部８５０の斜視図を示す。図１０にはファン部８５０のファンカバー８５７を外した分解斜視図を示す。図１１にはダクト部８００の断面図を示す。
【００２９】
ファン部８５０はファンケース８５５と薄板の金属で成形されたファンカバー８５７が、モーター８５６と羽部８５１を内包している。羽部８５１はモーター８５６の出力軸８５４に圧嵌されている。ファンケース８５５とファンカバー８５７は前側からの投影は略同形状であり、Ｒ側が半円形状をなしている。前述のモーターは該半円形状の中央付近に図示しないねじで螺設されている。ファン部８５０のＬ側は矩形状のファン排気口８５３を形成されている。
【００３０】
羽部８５１は複数の略長細い形状であり、出力軸８５４の周囲に羽部８５１が放射状に配設している。モーターの駆動はファン用フレキシブルケーブル８５８がダクト前カバー８１０の切り欠き部８１５から出て制御基板３４上のコネクタ３４２と接続することで可能となる。ファンケース８５５の底部には複数のファン吸気穴８５２を備える。
【００３１】
図１１及び図１２にファン部８５０が駆動した際の気流の流れを表す。ファンが駆動すると、吸気Ａが吸気口２２から吸い込まれ、次に吸気開口部８１２を通り、ダクト部８００に入る。吸気Ａはリブ８６３と放熱リブ８１３に沿って流れ、ダクト部８００内の熱を奪って進み、次にファンファン吸気穴８５２を通りファン内部に吸い込まれていく。その後、羽部８５１に押し出され排気穴８６２を通り、最後に背面カバーの排気口２３から排気Ｂとなって排出していく。
【００３２】
≪ヒンジユニット周辺の説明≫
図１３には背面カバー３２を一部切り欠いてヒンジユニット３５０の固定部３５１a及び固定部３５１ｂが見える斜視図を示す。図１５にヒンジユニット３５０の斜視図を示す。ヒンジユニット３５０は上下に延びたヒンジベース部３５３を有し、該ヒンジベース部３５３の上端部に第一の固定部３５１aが軸支され、下端部に第二の固定部３５１ｂが軸支されている。前記第一の固定部３５１aと第二の固定部３５１ｂは回動軸Ｙを中心に回動可能であり、かつ適度なトルクを有しているため、任意の角度で回動角を保時可能である。
【００３３】
さらにヒンジベース部３５３から平行に離間してパネル取付板３５２が腕部３５６で連結されている。前記パネル取付板３５２は腕部３５６の中心をとおる回動軸Ｘで回動可能であり、適度なトルクを有しているため、任意の角度で保持可能である。前記回動軸Ｘは回動軸Ｙと略直行している。図４に示すようにパネル取付板３５２は画像表示部２１の短辺を有する側面に固定されている。背面カバー３２のL側端には突出した袋状のヒンジ収納部３２０aとヒンジ収納部３２０ｂが上下に離間して具設している。前記固定部３５１aはヒンジ収納部３２０aに、固定部３５１ｂはヒンジ収納部３２０ｂに各々固定されている。
【００３４】
≪画像表示部の収納状態≫
前記ヒンジユニット３５０により、画像表示部２１は複数の位置に収納が可能である。図１３に示す状態を第1の状態とする。背面カバー３２と平行になり、スクリーン２１０が後方に露出した状態である。撮影者が後方からスクリーン２１０を視認しながら撮影する場合の状態といえる。
【００３５】
図１９は第1の状態から画像表示部２１を回動軸Ｙを中心に１８０度回動した状態である。被撮影者が撮影状況を確認できる状態であり、自分撮りなどで使用される形態といえる。この状態を第２の状態とする。
【００３６】
図１８は画像表示部２１を第２の状態からさらに９０度前方に回動した状態である。排気口２３の近くに画像表示部２１が位置することになるが、排気口２３は円弧面２６に配設されているため、排気口を塞ぐことはない。また、この状態ではスクリーン２１０を見ることはできない為、通常は使用しない状態といえる。この状態を第３の状態とする。第３の状態での上面視を図１７に示す。回動軸ＹがL 側に突出しているので画像表示部２１は、円弧面２６の頂点２６aのラインと略平行に収納が可能である。
【００３７】
図１４が側面からスクリーン２１０の視認が可能な状態で、第４の状態である。第３の状態から画像表示部２１を回動軸Ｘ中心に回動している状態である。図１２に第３の状態の断面図を示す。画像表示部２１は背面側が円弧面２６の上部と沿うようにすることが可能であり、スクリーン２１０が斜め上側を向き、視認性がよい。さらに軸Ｘは円弧面２６の上方にあるので、画像表示部２１自体が上方にオフセットして排気口２３の大部分が露出する。また、ファン排気口８５３は斜め下方向を向いており、排気口２３の穴の断面も同様に下方向を向いているため、気流が下方向に排気され、画像表示部２１に当たりにくくなっている。
【００３８】
以上説明したように、冷却ファンを備え、側面に排出口を備え、かつ複数の収納面を有することで撮影者がいろいろな角度から表示部を確認することが可能であり、さらには収納面と排出口が同一面で有るにもかかわらず、排出口を備えた面に収納した際にも表示部で排出口を覆う事を回避できるので、冷却と表示の視認性の両立を実現している。
【００３９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。例えば本実施例では交換レンズの撮像機器で説明したが、内蔵レンズの場合でも良い。
【符号の説明】
【００４０】
Ａ  吸気、Ｂ  排気、１  本体、１１  レンズ部、１２  マウント部、
２１  トリガーボタン、１３  画像表示部、２２  吸気口、２３  排気口、
２１０  スクリーン、３２０a  ヒンジ収納部、３２０ｂ  ヒンジ収納部、
３３０  ヒンジカバー、３５０  ヒンジユニット、３５１a  固定部、
３５１ｂ  固定部、３５３  ヒンジベース部、３５６  腕部、８００  ダクト部、
８１０  ダクト前カバー、８１１  壁、８１２  吸気開口部、８１３  放熱リブ、
８１５  切り欠き部、８１７  排気開口部、８３０  フレキシブルケーブル、
８５０  ファン部、８５１  羽部、８５２  ファン吸気穴、８５３  ファン排気口、
８５４  出力軸、８５５  ファンケース、８５６  モーター、８５７  ファンカバー、
８６０  ダクト後ろカバー、８６２  排気穴、８６３  リブ、Ｘ  回動軸、Ｙ  回動軸
【図１】
2016090979.tif 000003
【図２】
2016090979.tif 000004
【図３】
2016090979.tif 000005
【図４】
2016090979.tif 000006
【図５】
2016090979.tif 000007
【図６】
2016090979.tif 000008
【図７】
2016090979.tif 000009
【図８】
2016090979.tif 000010
【図９】
2016090979.tif 000011
【図１０】
2016090979.tif 000012
【図１１】
2016090979.tif 000013
【図１２】
2016090979.tif 000014
【図１３】
2016090979.tif 000015
【図１４】
2016090979.tif 000016
【図１５】
2016090979.tif 000017
【図１６】
2016090979.tif 000018
【図１７】
2016090979.tif 000019
【図１８】
2016090979.tif 000020
【図１９】
2016090979.tif 000021